(57)【要約】  【課題】本発明は、投票時に手書きされた候補者名あるいは候補者名を含む文字列から投票者の意図した候補者名が選択されることで、候補者名を再記入することが無く的確な投票を行うことが可能な自書式電子投票システムを提供することを目的とする。  【解決手段】本実施形態の自書式電子投票システム１は、入力部１１０から入力された手書き文字が画像データに変換され、認識部１０２により画像データから文字が認識され、照合部１０３により候補者記憶部１２３に記憶された候補者名ごとに、その認識された手書き文字との照合が行われ、所定の文字数以上が一致する候補者名が候補者記憶部１２３に記憶されている場合にはその一致した候補者名が抽出され、表示選択部１１１に表示された候補者名の中から投票者の意図する候補者名が選択される構成とされている。【選択図】      図１
2006126927.tif 000002
【特許請求の範囲】
【請求項１】
手書きされた文字の入力を受け付ける入力手段と、入力された前記文字を画像データに変換する変換手段と、前記画像データから文字を認識する認識手段と、単数あるいは複数の候補者名を記憶する記憶手段と、前記記憶手段に記憶された前記候補者名ごとに、前記認識手段により認識された前記文字との照合を行い、所定の文字数以上が一致する前記候補者名が前記記憶手段に記憶されている場合には、その一致した前記候補者名を抽出する照合手段と、該照合手段で抽出された前記候補者名を表示する表示手段と、前記表示手段で表示された前記候補者名の択一操作を受け付ける選択手段と、前記選択手段で選択された前記候補者名を記録する投票記録手段と、を有して成ることを特徴とする自書式電子投票システム。
【請求項２】
手書きされた文字の入力を受け付ける入力手段と、入力された前記文字を画像データに変換する変換手段と、前記画像データから文字を認識する認識手段と、単数あるいは複数の候補者名を記憶する記憶手段と、前記記憶手段に記憶された前記候補者名ごとに、前記認識手段により認識された前記文字との照合を行い、所定の一致率の高い順に所定数の候補者名を抽出する照合手段と、該照合手段で抽出された前記候補者名を表示する表示手段と、前記表示手段で表示された前記候補者名の択一操作を受け付ける選択手段と、前記選択手段で選択された前記候補者名を投票記録する投票記録手段と、を有して成ることを特徴とする自書式電子投票システム。
【請求項３】
前記一致率は、前記照合手段により前記記憶手段に記憶された前記候補者名ごとに、前記認識手段により認識された前記文字との照合が行われる際に、一致した文字数および一致した文字の前記候補者名を形成する文字列における順番から算出されることを特徴とする請求項２に記載の自書式電子投票システム。
【請求項４】
前記照合手段は、前記認識手段により認識された前記文字が前記候補者名と完全一致する場合には、完全一致した前記候補者名を抽出することを特徴とする請求項１から請求項３のいずれかに記載の自書式電子投票システム。
【請求項５】
前記照合手段による照合の際に、前記認識手段により認識された前記文字と一致する文字が前記記憶手段に記憶されていない場合には、このままでは無効票になる旨を前記表示手段に表示させ、無効票あるいは白票として投票記録手段に記録させるかどうかを要求する報知手段を有して成ることを特徴とする請求項１から請求項４のいずれかに記載の自書式電子投票システム。
【発明の詳細な説明】
【技術分野】
【０００１】
本発明は、選挙等で使用される自書式電子投票システムに関するものである。
【背景技術】
【０００２】
従来より、選挙における投票制は、投票人が投票所で手渡された規定の投票用紙に候補者名あるいは政党名等を自書して投票箱に投函する自書式投票制が主に採用されている。その開票作業は、手作業で行われることが殆どであるため多くの費用と時間とを要してしまうという問題や投票用紙に自書する際の誤字や脱字等により無効票が発生するという問題等がある。このような問題を解決するために電子化された投票システムの開発が進められている。
【０００３】
例えば、タッチパネル上に候補者の名前が自書されると、それを文字認識し、その名前に対応する候補者名が予め記憶された候補者リストから抽出されて自書名前と候補者名を並列表示し、自書名前と候補者名を比較確認した上で投票操作を行うことが可能な自書式電子投票方法が開示・提案されている（例えば、特許文献１を参照）。
【０００４】
また、電子ペンで自書された候補者名を電子ペン自らが読み取った画像データを投票所端末に送信し、ＯＣＲ[Optical Character Reader]処理により認識された候補者名がディスプレイに表示され、正しければ候補者名のデータを選挙管理事務所のセンタコンピュータに送信して投票を行うことが可能な投票システムが開示・提案されている（例えば、特許文献２を参照）。
【０００５】
また、投票用紙に書かれた候補者名を読み取り、ＯＣＲで認識し、この書かれた文字が１００％認識されなくても、その中の２文字以上が認識されると、予めパソコンに記憶されている候補者名とＯＣＲで認識された文字との照合が行われた後に、抽出された候補者名が表示され、正しければ投票を行い、正しく無ければ投票を取り消して再度投票を行うことが可能な電子投票装置が開示・提案されている（例えば、特許文献３を参照）
【特許文献１】特開２００３−２４２５４６号公報
【特許文献２】特開２００３−５８６７０号公報
【特許文献３】特開２０００−３５３２６１号公報
【発明の開示】
【発明が解決しようとする課題】
【０００６】
確かに、特許文献１に開示された自書式電子投票方法であれば、手書き入力された候補者名が、予め記憶された候補者リスト内の候補者名と完全に一致している候補者名があれば、その候補者に投票を行うことができる。
【０００７】
また、特許文献２に開示された投票システムであれば、ＯＣＲ処理により認識されてディスプレイに表示された候補者名が正しければ、候補者名のデータを選挙管理事務所のセンタコンピュータに送信することで投票を行うことができる。
【０００８】
また、特許文献３に開示された電子投票装置であれば、投票用紙に自書された候補者名が、ＯＣＲにより認識され、予め記憶されている候補者名との照合後に正しい候補者名が表示されれば、候補者に投票を行うことができる。
【０００９】
しかしながら、特許文献１に開示された自書式電子投票方法では、手書き入力された候補者名が、予め記憶された候補者リスト内の内容と完全に一致しているものが無い場合あるいは手書きされた候補者名の全ての文字が文字認識できない場合には、投票を行うことができなかった。例えば、候補者名が正しくかつ認識可能なように手書きされており、明らかに特定の候補者に投票する意思があるように、「○本△男に投票します」などと書かれていた場合には、予め記憶された候補者リストにこのような内容が記憶されてなければ、照合が行えず投票操作に移ることができなかった。その際には、予め記憶された候補者リストの範囲内で再入力を行う必要があり、その操作が煩わしかった。
【００１０】
また、特許文献１に特許文献２に開示された投票システムの技術を組み合わせた場合においては、上記のように上手く照合できない場合には候補者名を書き直して投票を試みることができるが、投票者の手間が増えて投票が煩わしいものになってしまう。
【００１１】
また、特許文献１および特許文献２に特許文献３に開示された電子投票装置の技術を組み合わせると、手書きされた候補者名から２文字以上の認識された文字に応じて、選択された１名の候補者名のみが表示される構成であるため、表示された候補者名が投票者の意図するものでなかった場合には、やはり候補者名を書き直して投票を試みなければ成らず、その手間が煩わしかった。
【００１２】
本発明は、上記の問題点に鑑み、投票時に手書きされた候補者名あるいは候補者名を含む文字列から投票者の意図した候補者名が選択されることで、候補者名を再記入することが無く的確な投票を行うことが可能な自書式電子投票システムを提供することを目的とする。
【課題を解決するための手段】
【００１３】
上記目的を達成するために、本発明に係る自書式電子投票システムは、手書きされた文字の入力を受け付ける入力手段と、入力された前記文字を画像データに変換する変換手段と、前記画像データから文字を認識する認識手段と、単数または複数の候補者名を記憶する記憶手段と、前記記憶手段に記憶された前記候補者名ごとに、前記認識手段により認識された前記文字との照合を行い、所定の文字数以上が一致する前記候補者名が前記記憶手段に記憶されている場合には、その一致した前記候補者名を抽出する照合手段と、該照合手段で抽出された前記候補者名を表示する表示手段と、前記表示手段で表示された前記候補者名の択一操作を受け付ける選択手段と、前記選択手段で選択された前記候補者名を記録する投票記録手段と、を有して成る構成とされている。このような構成にすることにより、入力手段から手書き入力された候補者名が認識手段によって全て認識されなくとも、表示手段に表示された候補者名の中から投票する候補者名を選択することができるため、候補者名を入力手段に再記入をすること無く投票を行うことができる。更には、手書きされた候補者名および候補者名以外の文字を含む文字列が入力手段により受け付けられた場合でも的確に投票を行うことができる。
【００１４】
本発明に係る自書式電子投票システムは、手書きされた文字の入力を受け付ける入力手段と、入力された前記文字を画像データに変換する変換手段と、前記画像データから文字を認識する認識手段と、単数または複数の候補者名を記憶する記憶手段と、前記記憶手段に記憶された前記候補者名ごとに、前記認識手段により認識された前記文字との照合を行い、所定の一致率の高い順に所定数の候補者名を抽出する照合手段と、該照合手段で抽出された前記候補者名を表示する表示手段と、前記表示手段で表示された前記候補者名の択一操作を受け付ける選択手段と、前記選択手段で選択された前記候補者名を投票記録する投票記録手段と、を有して成る構成とされている。このような構成にすることにより、入力手段から手書き入力された候補者名が認識手段によって全て認識されなくとも、表示手段に表示された候補者名の中から投票する候補者名を選択することができるため、候補者名を入力手段に再記入をすること無く投票を行うことができる。また、手書きされた候補者名および候補者名以外の文字を含む文字列が入力手段により受け付けられた場合でも的確に投票を行うことができる。また、表示手段に一致率の高い所定数の候補者名が表示されるため、投票者は候補者を容易に選択して投票することが可能と成る。
【００１５】
また、上記構成から成る自書式電子投票システムにおける前記一致率は、前記照合手段により前記記憶手段に記憶された前記候補者名ごとに、前記認識手段により認識された前記文字との照合が行われる際に、一致した文字数および一致した文字の前記候補者名を形成する文字列における順番から算出される構成とされている。このような構成にすることにより、手書きされた候補者名および候補者名以外の文字を含む文字列が入力手段により受け付けられた場合でも、所定数の候補者名が抽出されて表示手段に表示されるため、投票者は表示手段に表示された所定数の候補者名から候補者を容易に選択して投票することが可能と成る。
【００１６】
また、上記構成から成る自書式電子投票システムにおける前記照合手段は、前記照合手段は、前記認識手段により認識された前記文字が前記候補者名と完全一致する場合には、完全一致した前記候補者名を抽出する構成とされている。このような構成にすることにより、投票者は表示手段に完全一致した前記候補者名が表示されるため、容易に候補者を選択して投票することができる。
【００１７】
また、上記構成から成る自書式電子投票システムは、前記照合手段による照合の際に、前記認識手段により認識された前記文字と一致する文字が前記記憶手段に記憶されていない場合には、このままでは無効票になる旨を前記表示手段に表示させ、無効票あるいは白票として投票記録手段に記録させるかどうかを要求する報知手段を有して成る構成とされている。このような構成にすることにより、投票者が入力手段に誤った候補者名を入力してしまった場合には、投票者は誤った候補者名を入力したことを知ることができる。また、投票者は、無効票あるいは白票を投票することができる。
【発明の効果】
【００１８】
入力手段に受け付けられた手書きされた候補者名が、認識手段によって全て認識されなくとも、表示手段に表示された候補者名の中から投票する候補者名を選択することができるため、候補者名を入力手段に再記入をすること無く的確な投票を行うことができる。更に、候補者名および候補者名以外の文字を含む文字列が入力手段に手書きされた文字が入力された場合でも的確な投票を行うことができる。
【発明を実施するための最良の形態】
【００１９】
以下、本発明に係る自書電子投票システムの実施形態について図を参照にして説明する。図１は本発明の実施形態に係る自書式電子投票システムの要部構成を示すブロック図である。図１に示すように、本実施形態の自書式電子投票システム１は、本システム全体の動作を制御する制御部１０と、タッチパネル機能を備えた液晶ディスプレイから成るタッチスクリーン等から成り、各種入力操作や各種画像が表示される操作表示部１１と、各種プログラムやデータの記憶場所と成り、ワーク領域として利用されるメモリ部１２と、投票された候補者名等を用紙に印刷するプリンタ１３と、を有して成り、それら各部がバス等で接続されている。
【００２０】
制御部１０は、本システム全体の動作を制御する他に、後述の操作表示部１１の入力部１１０から入力された文字を画像データに変換する変換部１０１と、変換部１０１により変換された該画像データからＯＣＲ等により文字を認識する認識部１０２と、後述のメモリ部１２の候補者記憶部１２３に記憶された候補者名ごとに、認識部１０２により認識された文字との照合を行い、所定の文字数以上が一致する候補者名が候補者記憶部１２３に記憶されている場合には、その一致した候補者名を抽出する照合部１０３と、照合部１０３による照合の際に、認識部１０２により認識された文字と一致する文字が候補者記憶部１２３に記憶されていない場合には、このままでは無効票になる旨を操作表示部１１に表示させ、無効票あるいは白票として投票するか、あるいは初めから投票操作を行うかどうかを投票者に選択することを要求する報知部１０４と、を有して成る。
【００２１】
また、図２は操作表示部１１に表示される画面の一例を示す図である。操作表示部１１は、図１および図２に示すように、投票者によりタッチペン等で手書きされた文字の入力を受け付け、その内容を表示する入力部１１０と、照合部１０３により抽出された候補者名を表示する表示手段とその表示された候補者名のうちから投票者による候補者の択一選択を受け付ける選択手段とから成る表示選択部１１１と、各種投票に関する案内を表示する案内表示部１１２と、を有して成る。なお、入力部１１０に入力された文字を訂正できるように文字を消去する機能を操作表示部１１に備えてもよい。また、入力部１０３は、タッチスクリーンの代わりに、投票者により投票用紙に書かれた手書き文字を読み取るスキャナーが用いられてもよい。
【００２２】
また、メモリ部１２は、各種制御プログラム等が格納されたＲＯＭ１２１［Read Only Memory］と、ワーク領域として用いられるＲＡＭ１２２［Random Access Memory］と、ハードディスク[hard disk]やフラッシュメモリ[flash memory]等から成り、選挙時の候補者名あるいは政党名等を記憶する候補者記憶部１２３と、フラッシュメモリ等の不揮発性メモリから成り、表示選択部１１１に表示された候補者名の中から投票者により択一選択された候補者名を記憶する投票記録部１２４と、を有して成る。なお、候補者記憶部１２３に記憶された候補者名および投票記録部１２４の選挙ごとに行われる記録内容の変更は、操作表示部１１の図示していないテンキーからのパスワードが入力された場合あるいは入力部１１０へのパスワードが入力された場合のみ可能と成る。また、同様に投票記録部１２４を形成するフラッシュメモリ等の本システムからの取り出しは、パスワード入力により可能であり、例えば、投票結果の集計会場に投票結果が記録されたフラッシュメモリを運んで票の集計を行うことができる。
【００２３】
次に、上記構成から成る本実施形態の自書式電子投票システム１における候補者に投票を行う際の動作について以下に説明を行う。なお、本実施形態では、本発明の特徴を判り易くするため、図２に示すように、主として入力部１１０に「山田太郎に投票します」と書かれた場合について説明を行う。
【００２４】
図３は自書式電子投票システム１の動作の一例を示すフローチャートである。図１から図３に示すように、ステップＳ３−１で、投票したい候補者名をタッチペン（不図示）で入力部１１０に書いてくださいという旨（不図示）が案内表示部１１２に表示されており、投票者により入力部１１０にタッチペンで文字が書かれると、その手書き文字が入力部１１０に入力され、ほぼ同時にその手書き文字が入力部１１０に表示される。
【００２５】
続いて、ステップＳ３−２で、ステップＳ３−１で入力された文字が変換部１０１により画像データに変換され、ステップＳ３−３で、認識部１０２によりＯＣＲ等の処理等が行われ該画像データから文字が認識される。例えば、図２に示すように、入力部１１０に「山田太郎に投票します」と入力されれば、認識部１０２によりこれらの文字列から個別の文字が認識される。
【００２６】
そして、ステップＳ３−４で、照合部１０３により候補者記憶部１２３に記憶された候補者名ごとに、認識部１０２により認識された文字との照合が行われ、ステップＳ３−５に進む。
【００２７】
続いて、ステップＳ３−５で、照合部１０３により所定の文字数以上が一致する候補者名が候補者記憶部１２３に記憶されていると判断された場合（Ｓ３−５ＹＥＳ）には、ステップＳ３−６で、照合部１０３により所定の文字数以上が一致した候補者名が抽出される。そして、ステップＳ３−７で、照合部１０３によりその抽出された候補者名の全てが、表示選択部１１１に表示される。
【００２８】
ここで、例えば、照合部１０３により候補者記憶部１２３に記憶された候補者名ごとに、認識部１０２により認識された文字との照合が行われる際の、所定の文字数が１と設定されている場合には、図２に示すように、１文字でも一致する文字が候補者記憶部１２３に記憶された候補者名に含まれていれば、照合部１０３によりその一致した候補者名全てが抽出され、表示選択部１１１に表示される。
【００２９】
なお、ステップＳ３−４からステップＳ３−６での照合部１０３による候補者記憶部１２３に記憶された各候補者名と認識部１０２により認識された文字との照合および候補者名の抽出は以下のように行われてもよい。図４は、照合部１０３によるその他の照合および抽出方法について説明するための図である。例えば、ステップ３−４で照合部１０３により候補者記憶部１２３に記憶された候補者名ごとに、認識部１０２により認識された文字と照合が行われ、ステップ３−５で候補者記憶部１２３に記憶された候補者名と一致する文字があれば（Ｓ３−５ＹＥＳ）、ステップＳ３−６に進む。ステップＳ３−６で照合部１０３により、候補者記憶部１２３に記憶された候補者名ごとに、その一致した文字数とその一致した文字の候補者名を形成する文字列における順番から算出される一致率の高い順に所定数の候補者名が抽出される。なお、所定数が１と設定されていれば、最も一致率の高い候補者名のみが抽出される。また、例えば、所定数が４と設定されていれば、図４に示すように、最も一致した文字数が４文字と多く一致率の最も高い候補者の「山田太郎」氏、一致した文字数が２文字で一致率が２番目に高い候補者の「山田花子」氏、一致した文字数が１文字であっても一致した文字である「山」の位置が候補者の「田山花子」氏よりも前にあるため一致率が３番目に高く成る候補者の「山岸花子」氏、そして、一致率が４番目に高い候補者の「田山花子」氏の順で４名の候補者が照合部１０３により抽出され、ステップＳ３−７で、図４に示すように、照合部１０３により抽出された候補者名の４名が、その順番で表示選択部１１１に表示される。これにより、手書きされた候補者名および候補者名以外の文字を含む文字列が入力部１１０に入力された場合でも、所定数の表示選択部１１１に一致率の高い所定数の候補者名が表示されるため、投票者は後述のステップＳ３−８で候補者を容易に選択することができる。
【００３０】
なお、照合部１０３により候補者記憶部１２３に記憶された候補者名ごとに、認識部１０２により認識された文字と照合が行われる際に、その認識された文字が候補者記憶部１２３に記憶されている候補者名の中に完全に一致している候補者名がある場合には、完全一致した候補者名が抽出される構成とされてもよい。例えば、入力部１１０に入力された「山田太郎」氏が、変換部１０１により画像データに変換された後に、認識部１０２により「山田太郎」氏が個別の文字で認識され、照合部１０３により候補者記憶部１２３に「山田太郎」氏が記録されていれば、「山田太郎」氏のみが抽出される。これにより、表示選択部１１１に完全一致した前記候補者名のみが表示されるため、投票者は後述のステップＳ３−８で容易に候補者を選択して投票することができる。
【００３１】
なお、候補者記憶部１２３に、候補者名を認識できる内容も記憶されていてもよい。例えば、「山田太郎」氏に対して「ヤマタロウ」等である。この場合、ステップＳ３−１で「ヤマタロウに投票します」と入力された場合には、照合部１０３により「ヤマタロウ」は、「山田太郎」氏であると認識される構成を更に追加するとよい。これにより、更に照合部１０３による候補者名の照合および抽出の精度を向上させることができる。以下より、本動作の続きのステップＳ３−８から説明を行う。
【００３２】
続いて、ステップ３−８で、図２に示すように、案内表示部１１２には、投票者に対して表示選択部１１１に表示された候補者名の中から投票したい候補者を選択要求する旨が表示され、投票者により表示選択部１１１に表示された候補者が選択されて押下されると、投票する候補者が確定される。なお、投票者により表示選択部１１１に表示された候補者が選択されて押下された際に、選択された候補者を確定して投票するかどうかを再度確認する旨が案内表示部１１２等に表示されて、投票者により確定が選択された場合には、次ステップ３−１２に進み、確定されない場合には、再度候補者を選択できる構成にしてもよい。
【００３３】
また、先のステップＳ３−５で、照合部１０３により所定の文字数以上が一致する候補者名が候補者記憶部１２３に記憶されていないと判断された場合（Ｓ３−５ＮＯ）には、ステップＳ３−９で、報知部１０４によりこのままでは無効票になる旨が表示選択部１１１に表示される。
【００３４】
そして、ステップＳ３−１０で、報知部１０４により候補者の再入力を行うかどうかを選択する旨が表示選択部１１１に表示され、投票者により表示選択部１１１に表示された再入力をする旨が選択され押下されると（Ｓ３−１０ＹＥＳ）、ステップＳ３−１に進み、入力部１１０への候補者の再記入を行う。投票者により表示選択部１１１に表示された再入力を行わない旨が選択され押下されると（Ｓ３−１０ＮＯ）、ステップＳ３−１１に進む。
【００３５】
続いて、ステップＳ３−１１で、報知部１０４により無効票あるいは白票として投票するかどうかを選択する旨が表示選択部１１１に表示され、表示選択部１１１に表示された無効票あるいは白票で投票しない旨が選択させると（Ｓ３−１１ＮＯ）、ステップＳ３−１０に進む。また、表示選択部１１１に表示された無効票あるいは白票で投票する旨が選択させると（Ｓ３−１１ＹＥＳ）、ステップＳ３−１２に進む。
【００３６】
続いて、ステップＳ３−１２で、ステップＳ３−８で選択された候補者名、あるいはステップＳ３−１１で選択された無効票あるいは白票に投票されたことが投票記録部１２４に記録され、更に、および／あるいはプリンタ１３によって投票記録部１２４に記録された投票結果内容が印刷され、本動作が完了する。
【００３７】
なお、上記で説明した本実施形態の自書式電子投票システムにおける各構成要素は、前述したように同じ装置内に組み込まれてバス等で接続されて本実施形態の自書式電子投票システムを構成する以外にも、本発明を逸脱しない限り、それらが個別にインターネットやＬＡＮ[Local Area Network]などの電気通信回線で接続されて、自書式電子投票システムが形成される構成とされてもよい。
【００３８】
上記で説明したように、本実施形態の自書式電子投票システムは、照合部１０３により候補者記憶部１２３に記憶された候補者名ごとに認識部１０２により認識された手書き文字との照合が行われ、所定の文字数以上が一致する候補者名が候補者記憶部１２３に記憶されている場合にはその一致した候補者名が抽出されるあるいは所定の一致率の高い順に所定数の候補者名が抽出される。従って、入力部１１０に手書き入力された文字が認識部１０２によって全て認識されなくとも、照合部１０３により抽出され、更に表示選択部１１１に表示された候補者名の中から投票する候補者名を選択することができるため、候補者名を入力部１１０に再記入をすること無く投票を行うことができる。更には、手書きされた候補者名および候補者名以外の文字を含む文字列が入力部１１０に入力されても適切に投票を行うことができる。
【産業上の利用可能性】
【００３９】
本発明は、選挙等で使用される電子投票システムに関して有用な技術である。
【図面の簡単な説明】
【００４０】
【図１】は、本発明の実施形態に係る自書式電子投票システムの要部構成を示すブロック図である。
【図２】は、操作表示部１１に表示される画面の一例を示す図である。
【図３】は、自書式電子投票システム１の動作の一例を示すフローチャートである。
【図４】は、照合部１０３によるその他の照合および抽出方法について説明するための図である。
【符号の説明】
【００４１】
１    自書式電子投票システム
１０    制御部
１０１    変換部
１０２    認識部
１０３    照合部
１０４    報知部
１１    操作表示部
１１０    入力部
１１１    表示選択部
１１２    案内表示部
１２    メモリ部
１２１    ＲＯＭ［Read Only Memory］
１２２    ＲＡＭ［Random Access Memory］
１２３    候補者記憶部
１２４    投票記録部
１３    プリンタ
【図１】
2006126927.tif 000003
【図２】
2006126927.tif 000004
【図３】
2006126927.tif 000005
【図４】
2006126927.tif 000006